(57)【要約】【課題】  ブロワの故障時においても、冷却効率の低下を最小限に抑え、電子機器の動作を中断することなく運用を継続できる冷却用ブロワの実現。【解決手段】  少なくとも２台のブロワと当該各ブロワからの風を冷却する電子機器に送風するダクトを有する冷却装置であって、各ブロワに、当該ブロワの故障時、故障していない残りのブロワからの風圧で当該ブロワの送風口を閉じるシャッタと、該シャッタが閉じたことを検知するセンサと、何れかのブロワの故障時、故障前の冷却効率と変わらないよう、残りのブロワの風量を制御する制御手段を具備する冷却装置で、ブロワの故障時、残りのブロワの風圧により故障側のブロワのシャッタが閉じるため、ダクトの圧損低下を最小にでき、更に、シャッタが閉じたとき、残りのブロワの回転数を最大出力に制御することで、冷却効率の低下を最小限に抑えることができる。【選択図】  図１
2005105942.tif 000002
【特許請求の範囲】
【請求項１】
少なくとも２台のブロワと当該各ブロワからの風を冷却する電子機器に送風するダクトを有する冷却装置であって、上記何れかのブロワの故障時、故障前の冷却効率と変わらないよう、故障していない残りのブロワの風量を制御する制御手段を具備すること特徴とする冷却装置。
【請求項２】
請求項１において、上記各ブロワに、当該ブロワの故障時、故障していない残りのブロワからの風圧で当該ブロワの送風口を閉じるシャッタと、該シャッタが閉じたことを検知するセンサを設け、該センサ出力により上記制御手段による風量制御を行うことを特徴とする冷却装置。
【発明の詳細な説明】
【技術分野】
【０００１】
本発明は、発熱する電子機器、例えば、テレビジョン放送機に用いられる冷却用ブロワの制御方式に関するものである。
【背景技術】
【０００２】
従来装置においては、冷却用ブロワは、電子機器(例えば、テレビジョン放送機)個々に１台ずつ設けられている。  従って、ブロワは最大出力で使用することが多く、ブロワを定期的に交換することで、冷却の信頼性を確保していた。  また、ブロワが故障した場合、ブロワを交換するまでの間、他の電子機器(予備機)に切り替えて運用していた。
【特許文献１】特開２００１−８５８８２号公報
【発明の開示】
【発明が解決しようとする課題】
【０００３】
前述の様に、従来、冷却用ブロワは、それぞれの電子機器に１台ずつ設置されており、ブロワは最大出力で使用することが多いため、故障し易くなる。  そこで、冷却の信頼性を確保するためには、ブロワを早目、早目に交換しなければならない。  また、ブロワが故障した場合、電子機器は正常であるにもかかわらず、ブロワを交換し終わるまでの間、他の電子機器(予備機)に切り替えて運用しなければならなかった。
【０００４】
本発明はこれらの欠点を除去し、ブロワの故障時においても、冷却効率の低下を最小限に抑え、電子機器の動作を中断することなく運用を継続できる冷却用ブロワの実現を目的とする。
【課題を解決するための手段】
【０００５】
本発明は上記目的を達成するため、少なくとも２台のブロワと当該各ブロワからの風を冷却する電子機器に送風するダクトを有する冷却装置であって、上記何れかのブロワの故障時、故障前の冷却効率と変わらないよう、故障していない残りのブロワの風量を制御する制御手段を具備する冷却装置である。
【０００６】
また、各ブロワに、当該ブロワの故障時、故障していない残りのブロワからの風圧で当該ブロワの送風口を閉じるシャッタと、該シャッタが閉じたことを検知するセンサを設け、該センサ出力により上記制御手段による風量制御を行うようにしたものである。
【０００７】
その結果、例えば、１台のブロワの故障時においても、残りの運転中のブロワの風圧により故障側のブロワのシャッタが閉じるため、ダクトの圧損低下を最小にでき、さらに、このシャッタにセンサを付けることで、残りのブロワの回転数を最大出力に制御し、冷却効率の低下を最小限に抑えることができ、電子機器の動作を中断することなく運用を継続できる。
【発明の効果】
【０００８】
本発明によれば、１台のブロワの故障時においても、運転中である他方のブロワの風圧により故障側のブロワのシャッタが閉じるため、故障したブロワ側から風が漏れ出ることがなく、ダクトの圧損低下を最小にできる。また、このシャッタに設けたセンサにより、１台のブロワが故障した場合、自動的に他方のブロワの回転数を最大出力に制御することにより、冷却効率の低下を最小限に抑えることができ、電子機器の動作を中断することなく運用を継続できる。
【発明を実施するための最良の形態】
【０００９】
以下、本発明の一実施例の構成を示す図１のブロック図を用いて、本発明の構成、動作について説明する。  なお、本実施例では、テレビジョン放送機のパワーアンプ(ＰＡ)を冷却する場合を例として説明する。
【００１０】
図１において、１，１’は冷却用ブロワ、２，２’はブロワの回転数等を制御する制御ユニット、３，３はＮＦＢ(ノーヒューズブレーカ)、４，４’はブロワ１，１’と送風用ダクト６との連結部分に設けられ、風圧によりダクト６への送風口を開閉する逆流防止用のシャッタ、５は冷却されるテレビジョン放送機のパワーアンプ(ＰＡ)、６，７は送風用のダクト、８，８’はシャッタ４，４’の開閉を検知するセンサ、９は電源である。
【００１１】
ブロワ１及びブロワ１’が正常に動作している場合、ブロワ１及びブロワ１’からの風(実線矢印)によって、シャッタ４及び４’の両方とも開く。  これにより、ブロワ１及びブロワ１’からダクト６に吸入された風は、ダクト６、ＰＡ５、ダクト７と流れ、ＰＡ５を冷却して、ダクト７から排出される。  なお、この場合、ブロワ１及びブロワ１’からの合成風量により、ＰＡ５が最適温度に冷却されるよう制御されるため、正常動作時は、ブロワ１及びブロワ１’とも、最大出力で使用しなくても良く、故障し難くなる。
【００１２】
ここで、例えば、ブロワ１が故障した場合、ブロワ１’からの風圧で、シャッタ４’が開き、実線矢印のようにダクト６、ＰＡ５側に風が流れると共に、ブロワ１側にも、点線矢印の様に風が流れる。すると、ブロワ１のシャッタ４がブロワ１’からの風圧で閉じるため、センサ８はシャッタ４が閉じたことを検知し、ブロワ１が故障したとの信号が制御ユニット２’に送られる。  これによって、制御ユニット２’は、ブロワ１’の回転数を上げて、ＰＡ５の冷却が維持されるように、ブロワ１’を制御する。  例えば、故障したブロワ１の分、風量が半減するので、ブロワ１’の風量が倍となるよう回転数を上げる。
【００１３】
また、ブロワ１’が故障した場合も、前記と同様、シャッタ４’がブロワ１からの風圧で閉じるため、センサ８’がシャッタ４’が閉じたことを検知し、ブロワ１’が故障したとの信号がブロワ制御ユニット２に送られる。これにより、制御ユニット２は、ブロワ１の回転数を上げ、ＰＡ５の冷却が維持される様、ブロワ１を制御する。
【００１４】
なお、上記の実施例では、２台のブロワを用いて電子機器を冷却する場合について説明したが、本発明はこれに限定されるものではなく、複数台のブロワを用いて電子機器を冷却するものにも、同様に適用できるものである。
【００１５】
以上説明したように、１台のブロワの故障時においても、運転中である残りのブロワの風圧により故障側のブロワのシャッタが閉じるため、故障したブロワ側から風が逆流し、漏れ出ることがなく、ダクトの圧損低下を最小にできる。さらに、このシャッタにセンサを付けることで、１台のブロワが故障した時、自動的に残りのブロワの回転数を制御することで、冷却効率の低下を最小限に抑えることができ、電子機器の動作を中断することなく運用を継続できる。
【図面の簡単な説明】
【００１６】
【図１】本発明の送信機の実施例のブロック構成を示す図。
【符号の説明】
【００１７】
１、１’：ブロワ、２，２’：ブロワ制御ユニット、３，３：ＮＦＢ、４，４’：シャッタ、５：ＰＡ、６，７：ダクト、８，８’：センサ、９：電源。
【図１】
2005105942.tif 000003